(57)【特許請求の範囲】
【請求項１】
天板を有する什器に着脱可能に構成され、前記天板の上方にオプション部材を支持可能なオプション部材支持具において、
前記天板の下側に当接し平面視における前記天板の縁部側となる一方側から前記天板の内側となる他方側に延びる支持材と、
前記天板の縁部および前記支持材の前記一方側の端部を上下方向から挟持する挟持部と、
該挟持部と連結され前記天板の上方へと延びて前記オプション部材を取り付け可能なオプション部材支持部と、を有し、
前記支持材の前記他方側の端部側には、前記什器に係止されて下方への移動が規制される被係止部が設けられていることを特徴とするオプション部材支持具。
【請求項２】
前記支持材は、前記天板に固定具で固定されていることを特徴とする請求項１に記載のオプション部材支持具。
【請求項３】
前記支持材は、平板状に形成され上面が前記天板の下面と当接する基部と、
該基部の前記支持材の延在する前記天板の縁部側から内側へ向かう方向と直交する方向の両縁部からそれぞれ下方に突出する一対の突出部と、を有し、
前記挟持部は、天板の下方の部分が前記一対の突出部の間に配置されていることを特徴とする請求項１又は２に記載のオプション部材支持具。
【請求項４】
請求項１乃至３のいずれか一項に記載のオプション部材支持具と、前記天板と、前記床面上に配置され前記天板を支持する脚部と、を有することを特徴とするデスク。
【発明の詳細な説明】
【技術分野】
【０００１】
本発明は、オフィスや公共施設等の執務空間において、デスクに取り付けられてディスプレイやトレイなどのオプション部材を天板の上方に支持可能なオプション部材支持具およびこのオプション部材支持具が取り付けられたデスクに関する。
【背景技術】
【０００２】
オフィスや公共施設等の執務空間に設置されるデスクに取り付けられて、ディスプレイやトレイなどのオプション部材を天板の上方に支持可能なオプション部材支持具が知られている（例えば、特許文献１乃至５参照）。このようなオプション部材支持具として、クランプによってデスクの天板に取り付けられている構成のものが多く知られている。
そして、このようなオプション部材支持具は、天板に強固に取り付けられることで、ディスプレイのような重量やサイズが大きいオプション部材であっても強固かつ安定的に支持することができる。また、このような支持具は、天板に特別な加工を施さなくても取り付けることができるため、天板に容易に設置することができる。
【先行技術文献】
【特許文献】
【０００３】
【特許文献１】特開２０００−１１２３７６号公報
【特許文献２】特開２０００−１１２３７７号公報
【特許文献３】特開２００４−３２６６９７号公報
【特許文献４】特開２００８−１０４７０９号公報
【特許文献５】特開２００２−１７２０２５号公報
【発明の概要】
【発明が解決しようとする課題】
【０００４】
しかしながら、オプション部材支持具が支持するオプション部材の重量は、クランプを介して局所的に天板に作用するため、オプション部材の重量や天板の強度によっては、天板が変形してしまう虞がある。このため、重量の大きいオプション部材を支持するオプション部材支持具を取り付ける場合は、天板を補強する必要があるが、天板を補強するにはデスクの製造コストや製造工程が増えるという問題がある。
これに対し、例えば特許文献５に記載されたオプション部材支持具では、クランプよりも平面視形状が大きい押さえ板を天板の上部に配置し、この押さえ板を天板とともにクランプで挟持している。これにより、クランプから天板に大きな力が作用した場合もこの力を分散させることができる。しかしながら、押さえ板を設けても天板が補強される構成ではないため、天板が変形する虞がある。また、押さえ板が天板の上に配置されるため、使用者にとって押さえ板が邪魔になる虞がある。
【０００５】
そこで、本発明は、オプション部材支持具が取り付けられたことによる天板の変形を防止できるオプション部材支持具およびデスクを提供することを目的とする。
【課題を解決するための手段】
【０００６】
上記目的を達成するため、本発明に係る支持具は、天板を有する什器に着脱可能に構成され、前記天板の上方にオプション部材を支持可能なオプション部材支持具において、前記天板の下側に当接し平面視における前記天板の縁部側となる一方側から前記天板の内側となる他方側に延びる支持材と、前記天板の縁部および前記支持材の前記一方側の端部を上下方向から挟持する挟持部と、該挟持部と連結され前記天板の上方へと延びて前記オプション部材を取り付け可能なオプション部材支持部と、を有し、前記支持材の前記他方側の端部側には、前記什器に係止されて下方への移動が規制される被係止部が設けられていることを特徴とする。
【０００７】
また、本発明に係るデスクでは、上記のオプション部材支持具と、前記天板と、前記床面上に配置され前記天板を支持する脚部と、を有することを特徴とする。
【０００８】
本発明では、オプション部材支持部が挟持部と連結され挟持部から上方へと延びているため、オプション部材が挟持部よりも上方においてオプション部材支持部の他方側（平面視における天板の縁部側に対する内側）に取り付けられると、オプション部材支持部には下端部を支点とする回転力が作用する。そして、この回転力により、オプション部材支持部の下端部が連結された挟持部にも、挟持部が挟持している天板および支持材の縁部を上方に上げるような回転力が作用する。
このとき、支持材は、天板とともに挟持されている一方側が上方に移動し、被係止部が設けられた他方側が下方に移動するように回転しようとするが、被係止部は什器に係止されて下方への移動が規制されているため、上記のような回転が規制される。このため、挟持部およびオプション部材支持部の回転が拘束され、オプション部材支持部がオプション部材を安定的に支持することができる。
【０００９】
そして、本発明では、オプション部材支持部に作用する力が挟持部を介して天板に伝達されるとともに支持材を介して什器に伝達されるため、従来のようにオプション部材支持部に作用する力が挟持部から天板のみに伝達される場合と比べて、オプション部材支持部に作用する力が天板に局所的に作用することを防止できる。このため、オプション部材支持具が取り付けられたことによる天板の変形を防止できる。
【００１０】
また、本発明に係る支持具では、前記支持材は、前記天板に固定具で固定されていることが好ましい。
このような構成とすることにより、支持材と天板とが一体化する。これにより、オプション部材支持部に作用する力は、挟持部および支持材を介して天板に伝達されるとともに支持材を介して什器に伝達されるため、天板に伝達されるオプション部材支持部に作用する力が分散され、この力が天板に局所的に作用することを効率的に防止できる。このため、オプション部材支持具が取り付けられたことによる天板の変形をより防止できる。
【００１１】
また、本発明に係る支持具では、前記支持材は、平板状に形成され上面が前記天板の下面と当接する基部と、該基部の前記支持材の延在する前記天板の縁部側から内側へ向かう方向と直交する方向の両縁部からそれぞれ下方に突出する一対の突出部と、を有し、前記挟持部は、天板の下方の部分が前記一対の突出部の間に配置されていることが好ましい。
このような構成とすることにより、挟持部の天板の下方の部分を一対の突出部の間に配置すればよいため、支持材に対する挟持部の位置決めを容易に行うことができる。
【発明の効果】
【００１２】
本発明によれば、オプション部材支持具が取り付けられたことによる天板の変形を防止できる。
【図面の簡単な説明】
【００１３】
【図１】本発明の実施形態による天板昇降式デスクの一例を示す上方から見た斜視図である。
【図２】本発明の実施形態による天板昇降式デスクの一例を示す下方から見た斜視図である。
【図３】図１のＡ−Ａ線断面図である。
【図４】（ａ）はオプション支持具を説明する斜視図、（ｂ）はオプション支持具の支持材以外の分解斜視図である。
【図５】図１のＢ−Ｂ線断面図である。
【図６】（ａ）は支持材を上方から見た平面図、（ｂ）は支持材を左側から見た側面図、（ｃ）は支持材を前側から見た正面図である。
【図７】（ａ）は挟持部およびオプション支持部の支柱部を上方から見た平面図、（ｂ）は挟持部およびオプション支持部の支柱部を左側から見た側面図、（ｃ）は挟持部およびオプション支持部の支柱部を前側から見た正面図である。
【図８】（ａ）はビーム材の本体部を上方から見た平面図、（ｂ）はビーム材の本体部を左側から見た側面図、（ｃ）はビーム材の本体部を前側から見た正面図である。
【図９】（ａ）はビーム材のカバー部を上方から見た平面図、（ｂ）はビーム材のカバー部を突出部側から側面図、（ｃ）はビーム材のカバー部を前側から見た正面図である。
【発明を実施するための形態】
【００１４】
以下、本発明の実施形態によるデスクについて、図１乃至図９に基づいて説明する。
なお、以下の説明においては、図１および図２に示す天板昇降式デスク（デスク、什器）１における矩形状の天板４の長辺の長さ方向を左右方向、天板４の短辺の長さ方向を前後方向とする。
【００１５】
図１および図２に示すように、本実施形態による天板昇降式デスク１は、左右に離間して配置された一対の脚体（脚部）２、２と、これら一対の脚体２、２間を連結する連結部材３（図２参照）と、脚体２、２上に支持されて連結部材３上に配置された平板状の天板４と、を有しており、一対の脚体２、２にそれぞれ昇降機構ユニット５，５を有することにより、天板４が上下に昇降可能に構成されている。
また、天板昇降式デスク１には、後述するように一対の昇降機構ユニット５、５を共に制御する制御ユニット６（図２参照）が設けられ、さらに、昇降機構ユニット５に昇降動作信号を入力するための操作部７（図１参照）が設けられている。
また、天板昇降式デスク１は、天板４の上方にディスプレイやトレイなどのオプション部材１０（図１参照）を支持可能なオプション部材支持具１１を天板４に着脱可能に構成されている。
【００１６】
脚体２は、床面上に配置される下部支持体８（図１参照）と、下部支持体８の上方に配置されて天板４の下面を支持する上部支持体９と、これら下部支持体８と上部支持体９との間を伸縮可能に連結する昇降機構ユニット５と、を有して構成されている。
下部支持体８は、前後に延在する板状のもので、前後の各端部にそれぞれアジャスター８１，８１が設けられたことにより、床面からの高さの微調整が可能に構成されている。
【００１７】
昇降機構ユニット５は、従来公知の構成からなるもので、寸法の異なる複数の角筒５１，５１…が互いに相対移動可能に嵌り合っていることにより、内部に収容された駆動機構の駆動によって上下方向に伸縮可能になっている。これにより、昇降機構ユニット５は下部支持体８と上部支持体９との間を伸縮可能に連結している。
【００１８】
上部支持体９は、天板４の前後方向に延在して配置されて、天板４の左右方向における側端部の下面を支持している。この上部支持体９は、昇降機構ユニット５に対して天板４の前側となる前端側９ａの方が長く、天板４の後側となる後端側９ｂの方が短くなるように、昇降機構ユニット５の上端部に溶接等によって一体に固定されている。
【００１９】
図３に示すように、天板４は、矩形板状に形成されていて、スチールなどの金属板を加工した芯材４１と、芯材４１の上面、左右方向の側端面および前端面を覆うメラミン化粧板などの表面材４２と、芯材４１の後端部を覆うカバー材４３と、を有している。
芯材４１は、上側に配置される上側芯材４５と、上側芯材４５の下側に配置される３つの下側芯材４６，４７，４８と、を有している。
【００２０】
上側芯材４５は、矩形板状に形成され板面が水平面となる水平板部４５ａと、水平板部４５ａの前側の縁部に連続し前側に向かう斜め下方に延びるとともに先端部側が後側に折れ曲がった前側板部４５ｂと、水平板部４５ａの左右の縁部に連続し下方に延びる側板部４５ｃ，４５ｃと、水平板部４５ａの後側の縁部に連続し下方に延びる後側板部４５ｄと、後側板部４５ｄの下端部から前側に延びる下側板部４５ｅと、を有している。
そして、上側芯材４５は、水平板部４５ａの上面、前側板部４５ｂ、側板部４５ｃ，４５ｃの外側の面が表面材４２に覆われていて、後側板部４５ｄの外側の面がカバー材４３に覆われている。
【００２１】
３つの下側芯材４６，４７，４８は、前後方向に間隔をあけて配置されている。３つの下側芯材４６，４７，４８のうち、前後方向の最後部に配置されるものを第１下側芯材４６とし、中間部に配置されるものを第２下側芯材４７とし、最前部に配置されるものを第３下側芯材４８とする。
【００２２】
図３に示すように、第１下側芯材４６は、左右方向に延在する部材で、左右方向全体にわたって凹凸を有する断面形状に形成されている。第１下側芯材４６は、最後部に配置され板面が前後方向を向く鉛直面となる第１鉛直板部４６１と、第１鉛直板部４６１の下端部から前側に延びて板面が水平面となる第１水平板部４６２と、第１水平板部４６２の前端部から上側に延びて板面が前後方向を向く鉛直面となる第２鉛直板部４６３と、第２鉛直板部４６３の上端部から前側に延びて板面が水平面となる第２水平板部４６４と、第２水平板部４６４の前端部から下側に延びて板面が前後方向を向く鉛直面となる第３鉛直板部４６５と、第３鉛直板部４６５の下端部から前側に延びて板面が水平面となる第３水平板部４６６と、第３水平板部４６６の前端部から上側に延びて板面が前後方向を向く鉛直面となる第４鉛直板部４６７と、第４鉛直板部４６７の上端部から前側に延びて板面が水平面となる第４水平板部４６８と、を有している。
【００２３】
第１鉛直板部４６１、第２鉛直板部４６３、第３鉛直板部４６５および第４鉛直板部４６７は、それぞれ略同じ高さに配置されるとともに、略同じ高さ寸法に形成されている。そして、第１水平板部４６２と第３水平板部４６６とは、略同じ高さに配置され、第２水平板部４６４と第４水平板部４６８とは、略同じ高さに配置されている。
このような第１下側芯材４６は、第２水平板部４６４および第４水平板部４６８の上面が上側芯材４５の水平板部４５ａの下面と当接した状態で上側芯材４５に固定されている。そして、第１下側芯材４６が上側芯材４５に固定されると、第１鉛直板部４６１の後面が上側芯材４５の後側板部４５ｄの前面と当接し、第１水平板部４６２の下面のうちの後側の部分が上側芯材４５の下側板部４５ｅの上面と当接している。
【００２４】
図３に戻り、第２下側芯材４７は、左右方向に延在する部材で、左右方向全体にわたって略ハット形状の断面形状に形成されている。第２下側芯材４７は、最後部に配置され板面が水平面となる第１水平板部４７１と、第１水平板部４７１の前端部から下側に延びて板面が前後方向を向く鉛直面となる第１鉛直板部４７２と、第１鉛直板部４７２の下端部から前側に延びて板面が水平面となる第２水平板部４７３と、第２水平板部４７３の前端部から上側に延びて板面が前後方向を向く鉛直面となる第２鉛直板部４７４と、第２鉛直板部４７４の上端部から前側に延びて板面が水平面となる第３水平板部４７５と、を有している。
【００２５】
第１、第２鉛直板部４７２，４７４は、それぞれ略同じ高さに配置されるとともに、略同じ高さ寸法に形成されている。そして、第１水平板部４７１と第３水平板部４７５とは、略同じ高さに配置されている。
そして、第２下側芯材４７は、第１水平板部４７１および第３水平板部４７５の上面が上側芯材４５の水平板部４５ａの下面と当接した状態で上側芯材４５に固定されている。
【００２６】
第３下側芯材４８は、第２下側芯材４７と略同じ形状に形成されていて、第２下側芯材４７の第１水平板部４７１、第１鉛直板部４７２、第２水平板部４７３、第２鉛直板部４７４、および第３水平板部４７５とそれぞれ同様の第１水平板部４８１、第１鉛直板部４８２、第２水平板部４８３、第２鉛直板部４８４、および第３水平板部４８５を有している。
そして、第３下側芯材４８は、第１水平板部４８１および第３水平板部４８５の上面が上側芯材４５の水平板部４５ａの下面と当接した状態で上側芯材４５に固定されている。
なお、第１下側芯材４６の第１水平板部４６２、第３水平板部４６６、第２下側芯材４７の第２水平板部４７３、および第３下側芯材４８の第２水平板部４８３は、それぞれ略同じ高さに配置されている。
【００２７】
また、図１に示すように天板４の前端縁部下面側には、操作部７が設けられている。操作部７は、昇降機構ユニット５に対してその昇降動作信号を入力するための操作ボタンを有している。そして、使用者が操作部７を操作して昇降動作信号を送信することで昇降機構ユニット５、５を共に駆動させ、天板４の高さを任意に変更することができる。
【００２８】
図２に示すように、連結部材３は、左右方向に延在し、両端部が一対の上部支持体９、９に溶接等によってそれぞれ取り付けられており、これによって一対の脚体２、２の上部支持体９同士を連結している。
連結部材３は、金属板が折り曲げられて形成されたもので、天板４の前後に離間して配設された一対の連結片１７、１７と、これら連結片１７、１７の上端部どうし一体に接続する接続板１８と、を有して構成されている。接続板１８は、板面が上下方向を向く平板状に形成されている。
接続板１８の上面は、天板４の第１下側芯材４６の第１水平板部４６２の下面、第３水平板部４６６の下面、第２下側芯材４７の第２水平板部４７３の下面、および第３下側芯材４８の第２水平板部４８３の下面と略同じ高さに配置されている。
そして、連結部材３は、前後方向の位置が天板４の第１下側芯材４６と第２下側芯材４７との間の位置に配置されている。このため、連結部材３の接続板１８上側には、天板４の第１下側芯材４６および第２下側芯材４７が配置されず空部１８ａが形成され、この空部１８ａの上側に天板４の上側芯材４５が配置されている。
【００２９】
図４および図５に示すように、オプション部材支持具１１は、天板４の下側に当接し平面視における前後方向に延びて左右方向に間隔をあけて配置された２つの支持材１１０，１１０と、２つの支持材１１０，１１０それぞれと天板４とを上下方向から挟持する２つの挟持部１２０，１２０と、２つの挟持部１２０，１２０と連結され挟持部１２０，１２０から上方へと延在しオプション部材１０（図１参照）を取り付け可能なオプション部材支持部１３０と、を有している。
【００３０】
図６に示すように、２つの支持材１１０，１１０は、板面が上下方向を向き板面が前後方向に長い略長方形状に形成された第１水平板部１１１と、第１水平板部１１１の前端部から前方に向かうにつれて漸次上方に向かう斜め方向に突出する傾斜板部１１２と、傾斜板部１１２の前端部から前方に突出し板面が上下方向を向く第２水平板部（被係止部）１１３と、第１水平板部１１１の左右方向の両端部から下方に突出する第１突出部１１４，１１４と、第１水平板部１１１の後端部から下方に突出する第２突出部１１５と、をそれぞれ有している。
【００３１】
図５に戻り、支持材１１０は、第１水平板部１１１が天板４の下面に沿った状態で、第２突出部１１５の後面が天板４の後端面（本実施形態ではカバー材４３の後面）と略面一となり、第２水平板部１１３の下面が連結部材３の接続板１８の上面と当接するように配置される。
このとき、第１水平板部１１１の下面は、天板４の下方の空間に露出し、第２水平板部１１３の上面は、連結部材３の接続板１８の上方の空部１８ａに露出している。
そして、第２水平板部１１３の下面が連結部材３の接続板１８の上面と当接することにより、第２水平板部１１３が連結部材３に係止され、下方に移動することが規制されている。
また、第１水平板部１１１は、上下方向の中間部に上下方向に貫通するネジ孔１１１ａが形成されていて、ネジ孔１１１ａに挿通されたネジ１１６（固定具、図４参照）で天板４に固定されるように構成されている。
【００３２】
図５および図７に示すように、２つの挟持部１２０は、天板４（図５参照）の上面に沿って配置される上側水平板部１２１と、天板４の下側に配置される下側水平板部１２２と、天板４の後端面に沿って配置され上側水平板部１２１と下側水平板部１２２の後端部どうしを連結する連結板部１２３と、下側水平板部１２２の前端部から上方に突出する下側突出部１２４と、下側水平板部１２２に形成された上下方向に貫通するネジ孔１２２ａに挿通されるネジ１２５と、をそれぞれ有している。
【００３３】
挟持部１２０は、下側突出部１２４が天板４の下側に配置された支持材１１０の２つの第１突出部１１４，１１４の間に挿入され、上側水平板部１２１の下面が天板４の上面と当接し、連結板部１２３の前面が天板４の後端面および支持材１１０の第２突出部１１５の後面と当接した状態に配置される。そして、挟持部１２０は、この状態で下側水平板部１２２のネジ孔１２２ａにネジ１２５を下方から挿通させて螺合させることによって、上側水平板部１２１とネジ１２５とで天板４および支持材１１０を上下方向から合せて挟持するように構成されている。
【００３４】
図４に示すように、オプション部材支持部１３０は、２つの挟持部１２０，１２０の上側水平板部１２１，１２１に連結されてこれらの上側水平板部１２１，１２１それぞれ上方に延びる２つの支柱部１３１，１３１と、２つの支柱部１３１，１３１の上端部に固定されたビーム材１３２とを有している。
本実施形態では、２つの挟持部１２０，１２０は、左右方向に間隔をあけて配置されていて、オプション部材支持部１３０，１３０の２つの支柱部１３１，１３１も２つの挟持部１２０，１２０に対応して左右方向に間隔をあけて配置されている。そして、ビーム材１３２は、２つの支柱部１３１，１３１間に渡されるように固定されている。
【００３５】
２つの支柱部１３１，１３１は、板面が左右方向を向くとともに底辺が上辺よりも長い略台形状に形成された支柱板部１３３と、支柱板部１３３の上端部に固定されて板面が上下方向を向くとともに略長方形状に形成された連結板部１３４と、をそれぞれ有している。
図７に示すように、支柱板部１３３は、下部側が挟持部１２０の上側水平板部１２１にネジ止めされている。図４および図７に示すように、連結板部１３４には、上下方向に貫通し連結板部１３４とビーム材１３２とを連結するネジ１３４ｂ（図４参照）がそれぞれ挿通される２つのネジ孔１３４ａ，１３４ａが形成されている。
【００３６】
図４に示すように、ビーム材１３２は、左右方向に延在し２つの支柱部１３１，１３１の連結板部１３４，１３４にそれぞれ連結される本体部１３５と、本体部１３５の左右方向の端面をそれぞれ覆うカバー部１３６，１３６と、を有している。
図８に示すように、本体部１３５は、左右方向に直交する断面形状が上辺、下辺、両側辺にそれぞれ凹部が形成された略矩形に形成され、前面、後面、上面および下面それぞれに上記の凹部に対応した左右方向に延在する溝部１３５ａが形成されている。前面、後面および上面の溝部１３５ａには、ディスプレイやトレイなどのオプション部材１０（図１参照）が係止可能で、これによりオプション部材１０が天板４上の所定の位置に設置される。
本体部１３５には、左右方向に貫通する貫通孔１３５ｂが形成されている。
【００３７】
図９に示すように、カバー部１３６，１３６は、板面が本体部１３５の左右方向の端面全体を覆うことが可能な略長方形状に形成されたカバー板部１３６ａと、カバー板部１３６ａの一方の面から突出し本体部１３５の貫通孔１３５ｂに挿入されて係止される突出部１３６ｂと、をそれぞれ有している。
一方のカバー部１３６は、突出部１３６ｂが図８に示す本体部１３５の左側の端部から貫通孔１３５ｂに挿入され、突出部１３６ｂが設けられた一方の面が本体部１３５の左側の端面と当接した状態で本体部１３５に取り付けられている。
また、他方のカバー部１３６は、突出部１３６ｂが本体部１３５の右側の端部から貫通孔１３５ｂに挿入され、突出部１３６ｂが設けられた一方の面が本体部１３５の右側の端面と当接した状態で本体部１３５に取り付けられている。
なお、本体部１３５に貫通孔１３５ｂに代わって、本体部１３５の左右方向の両端部それぞれから対向する端部側に窪んだ凹部が形成されていて、この凹部にカバー部１３６の突出部１３６ｂが挿入されて係止されることでカバー部１３６が本体部１３５に取り付けられるように構成されていてもよい。
【００３８】
次に、上述した本実施形態による天板昇降式デスク１およびオプション部材支持具１１の作用・効果について図面を用いて説明する。
上述した本実施形態による天板昇降式デスク１およびオプション部材支持具１１では、オプション部材支持部１３０が挟持部１２０と連結され挟持部１２０から上方へと延びているため、オプション部材１０が挟持部１２０よりも上方においてオプション部材支持部１３０の前側に取り付けられると、オプション部材支持部１３０には下端部を支点とする回転力が作用する。そして、この回転力により、オプション部材支持部１３０の下端部が連結された挟持部１２０にも、挟持部１２０が挟持している天板４および支持材１１０の後端部を上方に上げるような回転力が作用する。
このとき、支持材１１０は、天板とともに挟持されている後端部が上方に移動し、前端部側が下方に移動するように回転しようとするが、前端部に設けられた第２水平板部１１３は連結部材３に係止されて下方への移動が規制されているため、上記のような回転が規制される。このため、挟持部１２０およびオプション部材支持部１３０の回転が拘束され、オプション部材支持部１３０がオプション部材１０を安定的に支持することができる。
【００３９】
そして、オプション部材支持部１３０に作用する力が挟持部１２０を介して天板４に伝達されるとともに支持材１１０を介して連結部材３に伝達されるため、従来のようにオプション部材支持部１３０に作用する力が挟持部１２０から天板４のみに伝達される場合と比べて、オプション部材支持部１３０に作用する力が天板４に局所的に作用することを防止できる。このため、オプション部材支持具１１が取り付けられたことによる天板４の変形を防止できる。
【００４０】
また、支持材１１０は、天板４にネジによって固定されていることにより、支持材１１０と天板４とが一体化する。これにより、オプション部材支持部１３０に作用する力は、挟持部１２０よび支持材１１０を介して天板４に伝達されるとともに支持材１１０を介して連結部材３に伝達されるため、天板４に伝達されるオプション部材支持部１３０に作用する力が分散され、オプション部材支持部１３０に作用する力が天板４に局所的に作用することを効率的に防止できる。このため、オプション部材支持具１１が取り付けられたことによる天板４の変形をより防止できる。
また、挟持部１２０は、下側突出部１２４が天板４の下側に配置された支持材１１０の２つの第１突出部１１４，１１４の間に挿入されるように配置すればよいため、支持材１１０に対する挟持部１２０の位置決めを容易に行うことができる。
【００４１】
以上、本発明による天板昇降式デスク１およびオプション部材支持具１１の実施形態について説明したが、本発明は上記の実施形態に限定されるものではなく、その趣旨を逸脱しない範囲で適宜変更可能である。
例えば、上記の実施形態では、天板昇降式デスク１は、一対の昇降機構ユニット５、５および制御ユニット６を有し、操作部７の操作により天板４が昇降可能に構成されているが、天板４が昇降する機構は、上記以外の例えば、ガススプリングやギアなどを用いる機構としてもよい。
また、天板昇降式デスク１に代わって天板４の高さが固定されたデスクや、デスク以外の天板４を有する什器にオプション部材支持具１１が設けられてもよい。
【００４２】
また、上記の実施形態では、天板４は、スチールなどの金属板を加工した芯材４１と、芯材４１表面を覆うメラミン化粧板などの表面材４２とを有する構成であるが、木質の合板などで構成されていてもよい。
また、上記の実施形態では、オプション部材支持具１１は、２つの支持材１１０および２つの挟持部１２０を有する構成であるが、１つの支持材１１０および１つの挟持部１２０を有する構成であってもよいし、３つ以上の支持材１１０および２つ以上の挟持部１２０を有する構成であってもよい。
【００４３】
また、上記の実施形態では、支持材１１０は、第２水平板部１１３が連結部材３の上面に当接して係止されているが、天板昇降式デスク１の連結部材３以外の部材に連結されていてもよい。また、支持材１１０の前端部の下方への移動が規制されていればよい。
また、支持材１１０の第２水平板部１１３が天板４や連結部材３に係止される形態は、例えばネジなどの固定具で天板４や連結部材３に固定されるなど上記以外であってもよい。
【００４４】
また、上記の実施形態では、支持材１１０は、ネジ１１６で天板４に固定されているが、挟持部１２０によって天板４とともに挟持され、第２水平板部１１３が連結部材３に係止されていれば、ネジ１１６などの固定具で天板４と固定されていなくてもよい。
なお、支持材１１０が天板４と固定具などで固定される場合は、固定方法や固定具の種類、固定具の数や固定される位置などは適宜設定されてよい。
【００４５】
また、上記の実施形態では、支持材１１０には２つの第１突出部１１４，１１４が設けられていて、挟持部１２０は、下側突出部１２４が天板４の下側に配置された支持材１１０の２つの第１突出部１１４，１１４の間に挿入されるように配置されているが、支持材１１０に２つの第１突出部１１４，１１４のような位置決め機構が設けられていなくてもよい。
また、上記の実施形態では、支持材１１０は、天板４の後端部側に設けられて天板４の後端部に取り付けられた挟持部１２０によって天板４とともに挟持されているが、天板４の前端部側に設けられて天板４の前端部に取り付けられた挟持部１２０によって天板４とともに挟持されてもよい。また、支持材１１０は、前後方向に代わって左右方向に延在し、天板４の左右方向の端部側に設けられて、天板４の左右方向の端部に取り付けられた挟持部１２０によって天板４とともに挟持されていてもよい。
【符号の説明】
【００４６】
１  天板昇降式デスク（デスク、什器）
２  脚体（脚部）
３  連結部材
４  天板
１０  オプション部材
１１  オプション部材支持具
１１０  支持材
１１１  第１水平板部（基部）
１１３  第２水平板部（被係止部）
１１４  第１突出部（突出部）
１１６  ネジ（固定具）
１２０  挟持部
１３０  オプション部材支持部
【図１】
0006429385.tif 000002
【図２】
0006429385.tif 000003
【図３】
0006429385.tif 000004
【図４】
0006429385.tif 000005
【図５】
0006429385.tif 000006
【図６】
0006429385.tif 000007
【図７】
0006429385.tif 000008
【図８】
0006429385.tif 000009
【図９】
0006429385.tif 000010